(57)【要約】【課題】  丈夫かつ使用状態への作成作業や未使用状態での保管が容易であり、フィギュアや写真を綺麗に飾ることができる飾り台を提供する。【解決手段】  打抜と折り目加工によって一枚の厚紙から作成され、底壁部１と第１傾斜壁部２と第２傾斜壁部３とを備えて側面視が略三角形であり、第１傾斜壁部２には、下辺に水平状折り目４を残して所定形状のフィギュア載置片部５を打抜形成し、フィギュア載置片部５を第２傾斜壁部３方向に折り目４にて略水平状まで折り曲げて第２傾斜壁部３に連結し、同時にフィギュア飾り窓部６を第１傾斜壁部２に形成する。【選択図】  図２
0003109854.tif 000002
【実用新案登録請求の範囲】
【請求項１】
打抜と折り目加工によって一枚の厚紙（Ａ）から作成され、底壁部（１）と第１傾斜壁部（２）と第２傾斜壁部（３）とを備えて側面視が略三角形であり、
上記第１傾斜壁部（２）には、下辺に水平状折り目（４）を残して所定形状のフィギュア載置片部（５）を打抜形成し、該フィギュア載置片部（５）を上記第２傾斜壁部（３）方向に上記折り目（４）にて略水平状まで折り曲げて該第２傾斜壁部（３）に連結し、同時にフィギュア飾り窓部（６）を上記第１傾斜壁部（２）に形成したことを特徴とする飾り台。
【請求項２】
打抜と折り目加工によって一枚の厚紙（Ａ）から作成され、底壁部（１）と、第１傾斜壁部（２）と、係止片部（８）を有する第２傾斜壁部（３）と、を備えて側面視が略三角形であり、
上記第１傾斜壁部（２）には、下辺に水平状折り目（４）を残して一文字状スリット部（７）を有する所定形状のフィギュア載置片部（５）を打抜形成し、該フィギュア載置片部（５）を、上記第２傾斜壁部（３）方向に上記折り目（４）にて略水平状まで折り曲げると共に上記第２傾斜壁部（３）から外方へ突出させて水平延伸部（５ａ）を形成し、上記係止片部（８）を上記スリット部（７）に嵌め込んで、上記第２傾斜壁部（３）と連結し、同時にフィギュア飾り窓部（６）を上記第１傾斜壁部（２）に形成し、
さらに、上記フィギュア載置片部（５）の上記水平延伸部（５ａ）と上記係止片部（８）と上記第２傾斜壁部（３）の外面部（３ａ）とをもって写真（17）を立てかけるための写真立てかけ部（９）としたことを特徴とする飾り台。
【請求項３】
打抜と折り目加工によって一枚の厚紙（Ａ）から作成され、底壁部（１）と第１傾斜壁部（２）と第２傾斜壁部（３）とを備えて側面視が略三角形であり、
上記第１傾斜壁部（２）には、写真保持部（10）を有する左右開き扉状の一対の開き扉部 (11ａ)(11ａ) が形成され、
さらに、各上記開き扉部（11ａ）を所定角度開いた状態で裏側から保持するための折曲起立片（12）を、上記底壁部（１）に連設したことを特徴とする飾り台。
【請求項４】
打抜と折り目加工によって一枚の厚紙（Ａ）から作成され、底壁部（１）と第１傾斜壁部（２）と第２傾斜壁部（３）とを備えて側面視が略三角形であり、
上記第２傾斜壁部（３）には、左右開き扉状の一対の開き扉部 (11ｂ)(11ｂ) が形成され、  
該各開き扉部（11ｂ）には、下辺に水平状折り目（14）を残して所定形状のフィギュア載置片部（15）を打抜形成し、該フィギュア載置片部（15）を上記第１傾斜壁部（２）方向に上記折り目（14）にて略水平状まで折り曲げて同時にフィギュア飾り窓部（16）を上記開き扉部（11ｂ）に形成し、
さらに、上記フィギュア載置片部（15）を係止させて上記各開き扉部（11ｂ）を所定角度開いた状態で保持するための底部起立片（13）を、上記底壁部（１）に形成したことを特徴とする飾り台。
【請求項５】
打抜と折り目加工によって一枚の厚紙（Ａ）から作成され、底壁部（１）と第１傾斜壁部（２）と第２傾斜壁部（３）とを備えて側面視が略三角形であり、
上記第１傾斜壁部（２）には、下辺に水平状折り目（４）を残して所定形状のフィギュア載置片部（５）を打抜形成し、該フィギュア載置片部（５）を上記第２傾斜壁部（３）方向に上記折り目（４）にて略水平状まで折り曲げて該第２傾斜壁部（３）に連結し、同時にフィギュア飾り窓部（６）を上記第１傾斜壁部（２）に形成し、
さらに、上記第１傾斜壁部（２）には、写真保持部（10）を有する左右開き扉状の一対の開き扉部 (11ａ)(11ａ) が形成され、
各上記開き扉部（11ａ）を所定角度開いた状態で裏側から保持するための折曲起立片（12）を、上記底壁部（１）に連設したことを特徴とする飾り台。
【考案の詳細な説明】
【技術分野】
【０００１】
本考案は、飾り台に係り、より詳しくは、フィギュアや写真等を飾るための飾り台に関する。
【背景技術】
【０００２】
従来、フィギュア（人形）を飾るための種々の飾り台が提案されている（例えば、特許文献１参照）。
特許文献１には、上端部が階段状になっている左右一対の側板体と、側板体の階段水平部に架設される水平板部と階段垂直部に架設される垂直板部とから構成される架設板体と、左右一対の側板体の後端部間に取り付けられる補強板体と、を備えた組立式の飾り台が開示されている。この飾り台は、段ボールにて形成されている。
【特許文献１】特開平１０−４３０３９号公報
【考案の開示】
【考案が解決しようとする課題】
【０００３】
しかしながら、上記特許文献１に開示された飾り台では、複数の部材から構成されているので、飾り台の作成作業を行なう際、各部材を所定の位置に組み合わせる必要があった。これにより、各部材の取付け位置を正確に把握しておかなければならなかったので、特許文献１では、飾り台の作成作業が煩雑になるという問題点があった。また、複数の部材から構成されているので、分解しての保管時に、部材を紛失しやすかった。また、特許文献１では、飾り台が容易に崩れないようにするための補強板体が、飾り台を補強する機能のみを有して不格好であった。
また、特許文献１では、階段状となった架設板体にフィギュアを整然と並べて飾るものであり、飾り台には、フィギュアを綺麗に飾るための工夫が特になされていなかった。
そこで、本考案は、丈夫かつ使用状態への作成作業や未使用状態での保管が容易であり、フィギュアや写真を綺麗に飾ることができる飾り台を提供することを目的とする。
【課題を解決するための手段】
【０００４】
上述の目的を達成するために、本考案に係る飾り台は、打抜と折り目加工によって一枚の厚紙から作成され、底壁部と第１傾斜壁部と第２傾斜壁部とを備えて側面視が略三角形であり、上記第１傾斜壁部には、下辺に水平状折り目を残して所定形状のフィギュア載置片部を打抜形成し、該フィギュア載置片部を上記第２傾斜壁部方向に上記折り目にて略水平状まで折り曲げて該第２傾斜壁部に連結し、同時にフィギュア飾り窓部を上記第１傾斜壁部に形成したものである。
【０００５】
また、打抜と折り目加工によって一枚の厚紙から作成され、底壁部と、第１傾斜壁部と、係止片部を有する第２傾斜壁部と、を備えて側面視が略三角形であり、上記第１傾斜壁部には、下辺に水平状折り目を残して一文字状スリット部を有する所定形状のフィギュア載置片部を打抜形成し、該フィギュア載置片部を、上記第２傾斜壁部方向に上記折り目にて略水平状まで折り曲げると共に上記第２傾斜壁部から外方へ突出させて水平延伸部を形成し、上記係止片部を上記スリット部に嵌め込んで、上記第２傾斜壁部と連結し、同時にフィギュア飾り窓部を上記第１傾斜壁部に形成し、さらに、上記フィギュア載置片部の上記水平延伸部と上記係止片部と上記第２傾斜壁部の外面部とをもって写真を立てかけるための写真立てかけ部としたものである。
【０００６】
また、打抜と折り目加工によって一枚の厚紙から作成され、底壁部と第１傾斜壁部と第２傾斜壁部とを備えて側面視が略三角形であり、上記第１傾斜壁部には、写真保持部を有する左右開き扉状の一対の開き扉部が形成され、さらに、各上記開き扉部を所定角度開いた状態で裏側から保持するための折曲起立片を、上記底壁部に連設したものである。
【０００７】
また、打抜と折り目加工によって一枚の厚紙から作成され、底壁部と第１傾斜壁部と第２傾斜壁部とを備えて側面視が略三角形であり、上記第２傾斜壁部には、左右開き扉状の一対の開き扉部が形成され、該各開き扉部には、下辺に水平状折り目を残して所定形状のフィギュア載置片部を打抜形成し、該フィギュア載置片部を上記第１傾斜壁部方向に上記折り目にて略水平状まで折り曲げて同時にフィギュア飾り窓部を上記開き扉部に形成し、さらに、上記フィギュア載置片部を係止させて上記各開き扉部を所定角度開いた状態で保持するための底部起立片を、上記底壁部に形成したものである。
【０００８】
また、打抜と折り目加工によって一枚の厚紙から作成され、底壁部と第１傾斜壁部と第２傾斜壁部とを備えて側面視が略三角形であり、上記第１傾斜壁部には、下辺に水平状折り目を残して所定形状のフィギュア載置片部を打抜形成し、該フィギュア載置片部を上記第２傾斜壁部方向に上記折り目にて略水平状まで折り曲げて該第２傾斜壁部に連結し、同時にフィギュア飾り窓部を上記第１傾斜壁部に形成し、さらに、上記第１傾斜壁部には、写真保持部を有する左右開き扉状の一対の開き扉部が形成され、各上記開き扉部を所定角度開いた状態で裏側から保持するための折曲起立片を、上記底壁部に連設したものである。
【考案の効果】
【０００９】
本考案に係る飾り台によれば、補強部材を他に設けなくても、十分な強度を有する飾り台とすることができる。
また、フィギュア飾り窓部を所定形状に形成することによって、フィギュア飾り窓部の内側に見えるフィギュアをより強調させて、綺麗に飾ることができる。
【００１０】
また、打抜と折り目加工によって一枚の厚紙から作成されるので、複数の部材で構成された飾り台のように各部材の取付け位置を正確に把握しておく必要なく、使用状態への作成作業が容易な飾り台とすることができる。
また、未使用状態では、複数の部材で構成された飾り台のように部材を紛失する心配がなく、保管が容易な飾り台とすることができる。
また、機能性に優れた飾り台とすることができる。
【００１１】
また、開き扉部を設けない場合と比較して、飾り台の斜め方向から写真を眺めた際に、写真がより正面側へ向くように構成することができるので、写真を綺麗に見えるように飾ることができる。
また、開き扉部を設けない場合と比較して、飾り台の斜め方向からフィギュアを眺めた際に、フィギュアがより正面側へ向くように構成することができるので、フィギュアを綺麗に見えるように飾ることができる。
【考案を実施するための最良の形態】
【００１２】
図１〜図４に於て、本考案の実施の一形態に係る飾り台は、フィギュア（人形）18や写真（ブロマイド）17を飾るための飾り台である。本実施形態に係る飾り台は、図１に示すように、打抜と折り目加工によって一枚の厚紙Ａから作成される。この折り目加工というのは、例えば厚紙の表面に溝状の切込を設ける加工である。
飾り台は、図２〜図４に示すように、底壁部１と、第１傾斜壁部２と、略矩形状の中央開口部24を有すると共に中央開口部24の下辺側に設けられた係止片部８を有する第２傾斜壁部３と、を備えて側面視が略三角形である。
第１傾斜壁部２には、写真保持部10, 10を有する左右開き扉状の一対の開き扉部11ａ，11ａが形成されている。写真保持部10, 10は、スリット状に形成されており、写真17の隅部をこの部分に差込むことによって、写真17を保持するようになっている。
【００１３】
ここで、第１傾斜壁部２の略中央には、下辺に水平状折り目４を残して所定形状のフィギュア載置片部５が打抜形成されている。また、フィギュア載置片部５を第２傾斜壁部３方向に折り目４にて略水平状まで折り曲げて第２傾斜壁部３に連結することによって、同時にフィギュア飾り窓部６が第１傾斜壁部２に形成されている。
より詳しく述べると、打抜形成されるフィギュア載置片部５は、一文字状スリット部７を有している（図１参照）。そして、フィギュア載置片部５は、第２傾斜壁部３の係止片部８をスリット部７に嵌め込んで、第２傾斜壁部３と連結されている。
また、フィギュア載置片部５を第２傾斜壁部３方向に折り目４にて略水平状まで折り曲げる際、フィギュア載置片部５を第２傾斜壁部３の中央開口部24から外方へ突出させることによって、水平延伸部５ａが形成されている（図４参照）。
【００１４】
フィギュア飾り窓部６は、フィギュア載置片部５を打抜形成したとき第１傾斜壁部２に形成された開口部であるので、フィギュア載置片部５を所定形状に形成しようとすると、同時にフィギュア飾り窓部６の開口形状も決定される（図１参照）。しかしながら、本実施形態では、フィギュア飾り窓部６の周囲に、折曲飾り片23…を形成している。そして、この折曲飾り片23…を折り目26に沿って折り曲げることによって、フィギュア飾り窓部６の開口形状を変化させて、フィギュア飾り窓部６をより装飾性の高いものとしている。
また、図１及び図２に示すように、第１傾斜壁部２のフィギュア飾り窓部６より下方となる位置には、差込スリット22，22が形成されている。
【００１５】
第２傾斜壁部３の略中央には、図３及び図４に示すように、フィギュア載置片部５の水平延伸部５ａと係止片部８と第２傾斜壁部３の外面部３ａとをもって写真17を立てかけるための写真立てかけ部９が形成されている。また、第２傾斜壁部３には、一対の左右係止片部25，25が形成されている。写真17は、下辺側が係止片部８に係止され、左辺側及び右辺側が左右係止片部25，25に係止されることにより、確実に保持されるように構成されている。
【００１６】
また、第２傾斜壁部３には、図３に示すように、左右開き扉状の一対の開き扉部11ｂ，11ｂが形成されている。この第２傾斜壁部３の各開き扉部11ｂには、下辺に水平状折り目14を残して所定形状のフィギュア載置片部15が打抜形成されている。そして、フィギュア載置片部15を第１傾斜壁部２方向に折り目14にて略水平状まで折り曲げて同時にフィギュア飾り窓部16を開き扉部11ｂに形成している。
図５に於て、フィギュア載置片部15には、折曲げ先端側が四角筒状に折曲げられることによって、支持脚部20が形成されている。この支持脚部20によって、フィギュア載置片部15にフィギュア18が載置されても、フィギュア載置片部15の載置面15ａが水平状に維持されるように構成されている。
【００１７】
フィギュア飾り窓部16は、図１及び図３に示すように、フィギュア載置片部15を打抜形成したとき開き扉部11ｂに形成された開口部であるので、フィギュア載置片部15を所定形状に形成しようとすると、同時にフィギュア飾り窓部16の開口形状も決定される。しかしながら、本実施形態では、フィギュア飾り窓部16の周囲に、折曲飾り片19…を形成している。そして、この折曲飾り片19…を折り目27に沿って折り曲げることによって、フィギュア飾り窓部16の開口形状を変化させて、フィギュア飾り窓部16をより装飾性の高いものとしている。
【００１８】
図６に於て、底壁部１には、フィギュア載置片部15を係止させて開き扉部11ｂを所定角度開いた状態で保持するための底部起立片13が、左右一対、形成されている。より詳しく述べると、この底部起立片13，13は、フィギュア載置片部15の折曲げ先端に形成された支持脚部20を係止することによって（図５参照）、各開き扉部11ｂを所定角度θ2 開いた状態で保持する構造となっている。
また、底壁部１には、開き扉部11ａを所定角度開いた状態で裏側から保持するための折曲起立片12が、左右一対、連設されている。この折曲起立片12は、斜辺部12ａを有する台形状であり（図１参照）、この斜辺部12ａが開き扉部11ａの裏側に当接することによって、開き扉部11ａを所定角度θ1 開いた状態で裏側から保持する構造となっている。
また、底壁部１には、図１及び図２に示すように、底壁部１と第１傾斜壁部２と第２傾斜壁部３とにより側面視が略三角形となった状態を保持するための差込片21, 21が連設されている。この差込片21, 21は、飾り台の作成時に、第１傾斜壁部２の差込スリット22，22に差し込まれるように構成されている。
【００１９】
次に、図１、図３、図４、及び、図５〜図７を参照して、本考案に係る飾り台の作成方法を説明する。
まず、図１に示すように、予め、フィギュア載置片部５やフィギュア載置片部15や中央開口部24が打抜形成され、折り目加工が施された厚紙Ａを用意する。
そして、図４及び図７に示すように、厚紙Ａを折り目に沿って、側面視略三角形に折曲げ、底壁部１と第１傾斜壁部２と第２傾斜壁部３とを形成する。
そして、差込片21, 21を第１傾斜壁部２の差込スリット22，22に差し込んで（図７の矢印Ｂ方向）、側面視略三角形の状態を保持する。
【００２０】
そして、フィギュア載置片部５を第２傾斜壁部３方向（図７の矢印Ｃ方向）に折り目４にて略水平状まで折り曲げ、フィギュア載置片部５のスリット部７を第２傾斜壁部３の係止片部８に嵌め込んで、フィギュア載置片部５と第２傾斜壁部３とを連結する。同時に、フィギュア飾り窓部６を第１傾斜壁部２に形成する。また、この際、図３及び図４に示すように、フィギュア載置片部５を第２傾斜壁部３の中央開口部24から外方へ突出させて水平延伸部５ａを形成する。
【００２１】
次に、図６に示すように、第１傾斜壁部２の開き扉部11ａ，11ａを開く（図７の矢印Ｄ方向）。そして、台形状の折曲起立片12，12を上方（図７の矢印Ｈ方向）へ折り曲げ、折曲起立片12，12の斜辺部12ａ，12ａを開き扉部11ａ，11ａの裏側に当接させて、開き扉部11ａを所定角度θ1 開いた状態で保持する。
【００２２】
次に、図５に示すように、開き扉部11ｂ，11ｂのフィギュア載置片部15，15を第１傾斜壁部２方向（図７の矢印Ｆ方向）に折り目14にて略水平状まで折り曲げる。この際、フィギュア載置片部15，15の折曲げ先端を四角筒状に折曲げて支持脚部20，20を形成し、支持脚部20，20の下面側を底壁部１に当接させる。また、フィギュア載置片部15，15を第１傾斜壁部２方向に略水平状まで折り曲げると同時に、フィギュア飾り窓部16を開き扉部11ｂ，11ｂに形成する。
【００２３】
そして、図６に示すように、第２傾斜壁部３の開き扉部11ｂ，11ｂを開き（図７の矢印Ｅ方向）、底壁部１の底部起立片13，13を起立させる（図７の矢印Ｇ方向）。そして、起立させた底部起立片13，13にて、フィギュア載置片部15，15の支持脚部20，20を係止して、開き扉部11ｂ，11ｂを所定角度θ2 開いた状態で保持する。    
その後、図３に示すように、フィギュア飾り窓部16の周囲の折曲飾り片19…、及び、フィギュア飾り窓部６の周囲の折曲飾り片23…を、折り目27及び折り目26に沿って飾り台の内部側へ折り曲げて、完成となる。
【００２４】
なお、飾り台の未使用時には、上述した飾り台の作成方法と逆の手順にて、飾り台から一枚の厚紙Ａに戻して保管することができる。
【００２５】
なお、本考案は、上述の実施の形態に限定されず、本考案の要旨を逸脱しない範囲で設計変更可能である。例えば、第１傾斜壁部２の開き扉部11ａ，11ａや第２傾斜壁部３の開き扉部11ｂ，11ｂは設けなくてもよい。
また、本実施形態では、第１傾斜壁部２の開き扉部11ａ，11ａに写真保持部10, 10を設けると共に、第２傾斜壁部３の開き扉部11ｂ，11ｂにフィギュア載置片部15，15及びフィギュア飾り窓部16，16を設ける場合を例示したが、本考案は、これに限らず、第１傾斜壁部２の開き扉部11ａ，11ａと第２傾斜壁部３の開き扉部11ｂ，11ｂとの両方に、フィギュア載置片部15，15及びフィギュア飾り窓部16，16を設けてもよい。また、第１傾斜壁部２の開き扉部11ａ，11ａと第２傾斜壁部３の開き扉部11ｂ，11ｂとの両方に、写真保持部10, 10を設けてもよい。
【００２６】
以上のように本考案に係る飾り台は、打抜と折り目加工によって一枚の厚紙Ａから作成され、底壁部１と第１傾斜壁部２と第２傾斜壁部３とを備えて側面視が略三角形であり、第１傾斜壁部２には、下辺に水平状折り目４を残して所定形状のフィギュア載置片部５を打抜形成し、該フィギュア載置片部５を第２傾斜壁部３方向に折り目４にて略水平状まで折り曲げて第２傾斜壁部３に連結し、同時にフィギュア飾り窓部６を第１傾斜壁部２に形成するので、フィギュア18を飾るためのフィギュア載置片部５が、飾り台の変形を抑制する補強部材の機能を有する。これにより、飾り台を補強する機能のみを有する不格好な補強部材を他に設けなくても、十分な強度を有する飾り台とすることができる。
【００２７】
また、フィギュア飾り窓部６を所定形状に形成することによって、フィギュア飾り窓部６の内側に見えるフィギュア18をより強調させて、綺麗に飾ることができる。
また、打抜と折り目加工によって一枚の厚紙Ａから作成されるので、複数の部材で構成された飾り台のように各部材の取付け位置を正確に把握しておく必要なく、折り目に沿って折曲げていくことにより飾り台を作成することができる。これにより、作成作業が容易な飾り台とすることができる。
また、未使用状態では、複数の部材に分解されないので、複数の部材で構成された飾り台のように部材を紛失して作成作業を行なえなくなる心配がないようにすることができる。これにより、保管が容易な飾り台とすることができる。
【００２８】
また、打抜と折り目加工によって一枚の厚紙Ａから作成され、底壁部１と、第１傾斜壁部２と、係止片部８を有する第２傾斜壁部３と、を備えて側面視が略三角形であり、第１傾斜壁部２には、下辺に水平状折り目４を残して一文字状スリット部７を有する所定形状のフィギュア載置片部５を打抜形成し、フィギュア載置片部５を、第２傾斜壁部３方向に折り目４にて略水平状まで折り曲げると共に第２傾斜壁部３から外方へ突出させて水平延伸部５ａを形成し、係止片部８をスリット部７に嵌め込んで、第２傾斜壁部３と連結し、同時にフィギュア飾り窓部６を第１傾斜壁部２に形成し、さらに、フィギュア載置片部５の水平延伸部５ａと係止片部８と第２傾斜壁部３の外面部３ａとをもって写真17を立てかけるための写真立てかけ部９とすることによって、第１傾斜壁部２及び第２傾斜壁部３のどちら側も前面側にすることができる。しかも、第１傾斜壁部２及び第２傾斜壁部３のうち、一方側はフィギュア18を飾って見せるために使用し、他方側は写真17を飾って見せるために使用して、前後で異なる機能を有するように構成することができる。これにより、より機能性に優れた飾り台とすることができる。
【００２９】
また、係止片部８をフィギュア載置片部５のスリット部７に嵌め込むことによって、係止片部８にて写真17を係止させるようにして写真17を立てかけた際に、写真17が水平延伸部５ａ上から滑って脱落するのを抑制することができる。
【００３０】
また、打抜と折り目加工によって一枚の厚紙Ａから作成され、底壁部１と第１傾斜壁部２と第２傾斜壁部３とを備えて側面視が略三角形であり、第１傾斜壁部２には、写真保持部10を有する左右開き扉状の一対の開き扉部11ａ, 11ａが形成され、さらに、各開き扉部11ａ, 11ａを裏側から所定角度開いた状態で保持するための折曲起立片12，12を、底壁部１に連設するので、開き扉部11ａ, 11ａを設けない場合と比較して、飾り台の斜め方向から写真17を眺めた際に、写真17がより正面側へ向くように構成することができる。これにより、写真17を綺麗に見えるように飾ることができる。
また、折曲起立片12，12により、開き扉部11ａ, 11ａを確実に所定角度開いた状態で保持することができる。
【００３１】
また、打抜と折り目加工によって一枚の厚紙Ａから作成され、底壁部１と第１傾斜壁部２と第２傾斜壁部３とを備えて側面視が略三角形であり、第２傾斜壁部３には、左右開き扉状の一対の開き扉部11ｂ，11ｂが形成され、各開き扉部11ｂには、下辺に水平状折り目14を残して所定形状のフィギュア載置片部15を打抜形成し、フィギュア載置片部15を第１傾斜壁部２方向に折り目14にて略水平状まで折り曲げて同時にフィギュア飾り窓部16を開き扉部11ｂに形成し、さらに、フィギュア載置片部15を係止させて各開き扉部11ｂを所定角度開いた状態で保持するための底部起立片13を、底壁部１に形成するので、開き扉部11ｂ，11ｂを設けない場合と比較して、飾り台の斜め方向からフィギュア18を眺めた際に、フィギュア18がより正面側へ向くように構成することができる。これにより、フィギュア18を綺麗に見えるように飾ることができる。
また、底部起立片13により、開き扉部11ｂ，11ｂを確実に所定角度開いた状態で保持することができる。
【００３２】
また、打抜と折り目加工によって一枚の厚紙Ａから作成され、底壁部１と第１傾斜壁部２と第２傾斜壁部３とを備えて側面視が略三角形であり、第１傾斜壁部２には、下辺に水平状折り目４を残して所定形状のフィギュア載置片部５を打抜形成し、フィギュア載置片部５を第２傾斜壁部３方向に折り目４にて略水平状まで折り曲げて第２傾斜壁部３に連結し、同時にフィギュア飾り窓部６を第１傾斜壁部２に形成し、さらに、第１傾斜壁部２には、写真保持部10を有する左右開き扉状の一対の開き扉部11ａ, 11ａが形成され、各開き扉部11ａを裏側から所定角度開いた状態で保持するための折曲起立片12を、底壁部１に連設するので、フィギュア18を飾るためのフィギュア載置片部５が、飾り台の変形を抑制する補強部材の機能を有するように構成することができる。これにより、飾り台を補強する機能のみを有する不格好な補強部材を他に設けなくても、十分な強度を有する。
【００３３】
また、フィギュア飾り窓部６を所定形状に形成することによって、フィギュア飾り窓部６の内側に見えるフィギュア18をより強調させて、綺麗に飾ることができる。
また、開き扉部11ａ, 11ａを設けない場合と比較して、飾り台の斜め方向から写真17を眺めた際に、写真17がより正面側へ向くように構成することができる。これにより、写真17を綺麗に見えるように飾ることができる。
また、折曲起立片12により、開き扉部11ａ, 11ａを確実に所定角度開いた状態で保持することができる。  
【図面の簡単な説明】
【００３４】
【図１】本考案の実施の一形態に係る飾り台の作成前の状態を示す平面図である。
【図２】本考案の実施の一形態に係る飾り台の第１傾斜壁部側を示す斜視図である。
【図３】第２傾斜壁部側を示す斜視図である。
【図４】図２のＩ−Ｉ線断面側面図である。
【図５】図３のＪ方向矢視図である。
【図６】飾り台の底面図である。
【図７】飾り台の作成方法の説明用斜視図である。
【符号の説明】
【００３５】
１  底壁部
２  第１傾斜壁部
３  第２傾斜壁部
３ａ  外面部
４，14  折り目
５，15  フィギュア載置片部
５ａ  水平延伸部
６，16  フィギュア飾り窓部
７  スリット部
８  係止片部
９  写真立てかけ部
10  写真保持部
11ａ，11ｂ  開き扉部
12  折曲起立片
13  底部起立片
【図１】
0003109854.tif 000003
【図２】
0003109854.tif 000004
【図３】
0003109854.tif 000005
【図４】
0003109854.tif 000006
【図５】
0003109854.tif 000007
【図６】
0003109854.tif 000008
【図７】
0003109854.tif 000009